(57)【要約】【課題】  作業性を損なうことなくラミネータの占有スペースを減少させることができ、尚且つ、収納時においても省スペース化が図れるラミネータを提供する。【解決手段】  ハウジング内においてシート状物品とラミネートフィルムを圧着して一体状にするラミネータであって、ハウジングには、給紙口と、ラミネートされたシート状物品を排出する排紙口とが設けられ、排紙口側に排紙ガイド板が設けられるラミネータである。【選択図】図３
2018134881.tif 000002
【特許請求の範囲】
【請求項１】
ハウジング内においてシート状物品とラミネートフィルムを圧着して一体状にするラミネータであって、
前記ハウジングには、給紙口と、ラミネートされた前記シート状物品を排出する排紙口とが設けられ、前記排紙口側に排紙ガイド板が設けられる
ラミネータ。
【請求項２】
前記排紙ガイド板は、前記排紙口側において回動可能である
請求項１に記載のラミネータ。
【請求項３】
前記排紙ガイド板は、収納状態で前記ハウジングに係合保持される
請求項１または２に記載のラミネータ。
【請求項４】
前記ハウジングには、該ハウジングから出る電源コードを巻き付けるガイドリブが設けられており、該ガイドリブは、展開状態の前記排紙ガイド板を下方から支持する
請求項１乃至３に記載のラミネータ。
【請求項５】
前記ハウジングの前記給紙口側において回動可能に設けられる給紙ガイド板を備え、
前記給紙ガイド板は、展開状態において、前記給紙口へ向かって傾斜する傾斜面を有する
請求項１乃至４に記載のラミネータ。
【発明の詳細な説明】
【技術分野】
【０００１】
本発明は、写真、保存価値のあるペーパー等のシート状物品を汚れや傷等から保護するため、熱溶融性接着剤層を塗布または印刷したラミネートフィルムで前記シート状物品の表裏両面を挟み込み加熱、圧着してシート状物品とフィルムを圧着一体化するラミネータに関し、特に、ラミネータ操作時並びに、収納時においても省スペースが可能な構造に関する。
【背景技術】
【０００２】
上述したように、ラミネートフィルムの内側に挟み入れたシート状物品を、ラミネータ本体の内部に備えられた一対の熱ロール間に送り込むことによって、シート状物品とフィルムを圧着一体化させてラミネートするラミネータが汎用されている。
【０００３】
一般的なラミネータは、ラミネータの正面側に底面が給紙ガイドテーブルからなる給紙口が設けられ、その反対側のラミネータ背面側に底面が排紙ガイドテーブルからなる排紙口が設けられ、両ガイドテーブルの表面、並びに一対の熱ロールの圧着面を同一の水平面となるように構成している。
【０００４】
このためラミネータ操作時に、給紙口の前方に被ラミネート品のサイズに相当するスペースを、同様に排紙口の後方にも被ラミネート品のサイズに相当するスペースを確保しなければならない。特に排紙口の後方にもスペースの確保が必要なために、例えば窓際のカウンター等、奥行きの狭い所ではラミネート作業は困難である。また、スペースが確保できる机上でラミネート作業する際においても、ラミネータの前後方向両スペースを確保できるように机の略中央位置に移動させなければならない。作業終了後に、またラミネータを元の位置に戻してデッドスペースを無くすという煩雑さがある。
【先行技術文献】
【特許文献】
【０００５】
【特許文献１】実用新案登録第３１３６４２９号公報
【特許文献２】特開２００５−３４３１３３号公報
【０００６】
特許文献１に記載のラミネータは、給紙口と排紙口がいずれも使用者の正面に向けられ、これにより排紙口前方にラミネート品のサイズに相当する空間を確保するだけでラミネート操作を行なえ、ラミネータ操作の占有空間が半分に減らされたラミネータである。特許文献２に記載のラミネータは、給紙ガイドテーブルと排紙ガイドテーブル双方の上面を案内面とし、一対の熱ロールの被ラミネート物の挟み込み位置と略同じレベルに位置させる伏倒位置から起立位置に回動操作可能な構造とし、ガイドテーブルを畳み込むことができる。これによって、ラミネータは、不使用時には、これらガイドテーブルがラミネータの収納などの邪魔にならないようにしておける。
【発明の概要】
【発明が解決しようとする課題】
【０００７】
上述の特許文献１に記載のラミネータは、ラミネータ占有スペースが半分になるが、ラミネータ操作は常にラミネータの後方側に開口した給紙口から被ラミネート品を投入する形態で、被ラミネート品をガイドするガイドテーブルがない。そのためにラミネータの正面側にある給紙ガイドテーブルに沿わせて被ラミネート品を投入するのと比較して作業性が劣り、また、被ラミネート品の形状が不安定になり易くラミネート失敗につながる恐れがある。特許文献２に記載のラミネータは、収納時の省スペース化は図れるが、操作時には排紙口の後方にも被ラミネート品のサイズに相当するスペースを確保しなければならなく、狭いスペースでのラミネート作業が困難である。
【０００８】
本発明は、作業性を損なうことなくラミネータの占有スペースを減少させることができ、尚且つ、収納時においても省スペース化が図れるラミネータを提供することを目的とする。
【課題を解決するための手段】
【０００９】
ハウジング内においてシート状物品とラミネートフィルムを圧着して一体状にするラミネータであって、ハウジングには、給紙口と、ラミネートされたシート状物品を排出する排紙口とが設けられ、排紙口側に排紙ガイド板が設けられるラミネータである。
【００１０】
排紙ガイド板は、前記排紙口側において回動可能であるラミネータである。
【００１１】
排紙ガイド板は、収納状態でハウジングに係合保持されるラミネータである。
【００１２】
ハウジングには、ハウジングから出る電源コードを巻き付けるガイドリブが設けられており、ガイドリブは、展開状態の排紙ガイド板を下方から支持するラミネータである。
【００１３】
ハウジングの前記給紙口側において回動可能に設けられる給紙ガイド板を備え、給紙ガイド板は、展開状態において、給紙口へ向かって傾斜する傾斜面を有するラミネータである。
【発明の効果】
【００１４】
本発明によれば、作業性を損なうことなくラミネータの占有スペースを減少させることができ、尚且つ、収納時においても省スペース化が図れるラミネータを提供できる。
【図面の簡単な説明】
【００１５】
【図１】本発明に係るラミネータの収納時の状態を示すもので、（ａ）は、正面側から見た斜視図で、（ｂ）は背面側から見た斜視図である。
【図２】通常のラミネート操作をする時の状態を示すもので、（ａ）は、正面側から見た斜視図で、（ｂ）は背面側から見た斜視図である。
【図３】給紙ガイド板と排紙ガイド板の両方を展開した状態でのラミネータの鉛直断面図である。
【図４】狭いスペースでラミネート操作する時の状態を説明するためのラミネータの斜視図である。
【図５】ラミネータ収納時の手順を説明するためのラミネータ背面側から見た斜視図である。
【発明を実施するための形態】
【００１６】
以下に本発明に係るラミネータ１について図面を参照しながら説明する。なお本実施の形態は一例であり、これに限定されるものではない。
【００１７】
図１〜図２に示すように、このラミネータ１は、ハウジング２の正面側に底面が給紙ガイドテーブルからなる給紙口４を設け、その背面側に前記給紙ガイドテーブル３と同一水平面となる底面を有した排紙口５（図２（ｂ））を設けている。
【００１８】
更にハウジング２の正面側には下端部１１をハウジング２に枢支して回動操作可能に取り付けられた給紙ガイド板１０がハウジング２を覆うように収納されている。また、ハウジング２の背面側には前記給紙ガイド板１０と同様に、一端部２２、２２（図２（ｂ））をハウジング２に枢支して回動可能に取り付けられた排紙ガイド板２０が畳み込まれて収納されている。
【００１９】
図３に示すように、給紙ガイドテーブル３の内側に一対の加熱圧着用ローラ６ａ、６ｂが設けられ、互いに接触して逆回転する。加熱圧着用ローラ６ａ、６ｂの接線は給紙口４及び排紙口５の底面にほぼ一致するようにしている。
【００２０】
加熱圧着用ローラ６ａ、６ｂは、例えば金属製の円柱状の芯材の表面をシリコンゴムで覆ったものが使われ、加熱装置７ａ、７ｂで熱を発生させて加熱圧着用ローラ６ａ、６ｂへ伝導する。本実施の形態では加熱装置７ａ、７ｂに板状のマイカ板に発熱用ニクロム線を巻いた形態のものを使用しこれに限らず加熱圧着用ローラ６ａ、６ｂの中心部に遠赤外線ヒータを軸方向に設けて加熱圧着用ローラ６ａ、６ｂの表面を加熱するようにしても良い。
【００２１】
加熱圧着用ローラ６ａ、６ｂの外側には、加熱圧着用ローラ６ａ、６ｂの熱を外気から保護する保護カバー８ａ、８ｂが設けられている。また、給紙口４から供給される被ラミネート品（図示しない）を加熱圧着用ローラ６ａ、６ｂに導く移動ガイド部９ａ、９ｂが、給紙口４側に向けて一体で延設している。
【００２２】
本実施の形態における前記加熱圧着用ローラ６ａ、６ｂは、一対だけ設けて加熱圧着及び被ラミネート品の送り排出を全て行わせるようにしている。ただし、二対設けて、給紙口４側に設けて被ラミネート品を加熱圧着し、他の１対を排紙口５側に設けて被ラミネート品を圧着排出させるようにしても良い。
【００２３】
上述のように構成されたラミネータ１の使用方法について説明する。ラミネータ１の前後方向両スペースを確保できるような場合には、図２（ａ）に示すようにラミネータ１の正面側を作業者に向けて設置する。次に、被ラミネート品の供給方向に略直交する方向の軸回りに回動可能な排紙ガイド板２０を、ハウジング２から水平方向に展開させ排紙口５を露出させる。排紙ガイド板２０は、薄板帯状の第一のガイド板２１ａと第二のガイド板２１ｂとで構成され、長手方向両端部にある枢支部２３，２３で、第一のガイド板２１ａは第二のガイド板２１ｂに対して略１８０°回動可能に連結している。第一のガイド板２１ａと第二のガイド板２１ｂは、その上面が互いに平行になるように展開される。
【００２４】
本実施形態のラミネータ１を作動するには、まずスライドスイッチ機構を備えた電源スイッチ４０をスライド操作して電源を投入する。電源を投入すると、加熱装置７ａ、７ｂ及び駆動手段（図示しない）に通電し、加熱圧着用ローラ６ａ、６ｂが互いに逆方向に回転しながら加熱装置７ａ、７ｂで発生させた熱が伝導される。ラミネートフィルムの厚みと被ラミネート品の厚みの組み合わせによって加熱圧着用ローラ６ａ、６ｂの適切な表面温度設定があるので、段階的に切替え設定可能な電源スイッチ４０をスライド操作して温度設定を選択する。
【００２５】
加熱圧着用ローラ６ａ、６ｂの予熱が完了したら、一端側が接合された２枚のラミネートフィルムの内側に挟み入れられた被ラミネート品の接合側を給紙口４に送り込む。そうすると、被ラミネート品は、保護カバー８ａ、８ｂによってガイドされ加熱圧着用ローラ６ａ、６ｂ間に送り込まれる。ラミネートフィルムは加熱圧着用ローラ６ａ、６ｂで加熱接着されて背面側の排紙口５から排出され、排紙ガイド板２０上で冷却が進行してラミネートが完成する。
【００２６】
次にラミネート１の設置に十分なスペースが確保できない場合について説明する。その場合には図４に示すように、展開した排紙ガイド板２０側を作業者に向けて設置し、被ラミネート品の供給方向に略直交する方向の軸回りに回動する給紙ガイド板１０を、作業者から離れる方向へ回動操作して展開させる。
【００２７】
この給紙ガイド板１０はハウジング２に枢支されている基部１１，１１と、基部１１，１１から延設する円弧状案内面１３と、円弧状案内面１３の上端から延設する傾斜面１２とから構成されている。給紙ガイド板１０は、ハウジング２から離れる方向に回動操作した展開状態において、傾斜面１２が給紙口４へ向かって傾斜し、円弧状案内面１３が被ラミネート品を給紙ガイドテーブル３へスムーズに送り出すために湾曲した状態となる。
【００２８】
被ラミネート品はハウジング２を越えた奥側に位置する給紙ガイド板１０に沿わせながら被ラミネート品の接合側を給紙口４に送り込む。（図３Ａ−Ａ断面図  太矢印方向）被ラミネート品は加熱圧着用ローラ６ａ、６ｂで加熱接着されて手前側の排紙口５から排出される。このため、ラミネータ１の奥側には給紙ガイド板１０を展開するのに必要なスペースさえ確保できれば良く、窓際のカウンターや、机上のパソコン用モニターの手前のスペースにラミネート作業時のみ設置する等、奥行きの狭い所でのラミネート作業が可能となる。
【００２９】
また、ラミネータ１を使用しない時には上述の給紙ガイド板１０と排紙ガイド板２０を、ラミネータ１の収納などの邪魔にならないように畳み込んだ状態でハウジング２に係合保持することができる。これにより、狭い収納スペースでもラミネータを収納することができる。また、畳み込むことにより、誤って給紙ガイド板１０と排紙ガイド板２０を破損させてしまうことも防止することができる。
【００３０】
図５に示すように、折り畳んだ給紙ガイド板１０の延出部先端側には長手方向に沿って段差部１４が形成されている。その段差部１４に、枢支部２３を軸として第二のガイド板２１ｂ上に重ね合わせるように折り畳んだ第一のガイド板２１ａの幅方向端部であって長手方向全域にＬ字状に形成したリブ状端面部２４が重合している。また、第一のガイド板２１ａに形成したスリット２５ａと第二のガイド板２１ｂに形成したスリット２５ｂが重なり合い、ハウジング２の背面部から突出して形成した舌片５０に遊貫し、スリット２５ａの長手方向上端部が舌片５０の係合突部５１（図３）に係合している。これにより、給紙ガイド板１０と排紙ガイド板２０を畳み込んだ状態でハウジング２に保持できる。
【００３１】
ラミネータ１を収納する際には、ハウジング２の背面側からＬ字状に一体で突設させたコード巻きつけ用ガイドリブ３１ａ、３１ｂ、３１ｃに電源コード３０を巻きつけて、よりコンパクトに収納することができる。コード巻きつけ用ガイドリブ３１ｃは、排紙ガイド板２０を展開した際の下方からの支えとなり、排紙ガイド板２０が撓むのを防止する機能を兼ねている。
【符号の説明】
【００３２】
１                      ラミネータ
２                      ハウジング
３                      給紙ガイドテーブル
４                      給紙口
５                      排紙口
６ａ、６ｂ              加熱圧着用ローラ
７ａ、７ｂ              加熱装置
８ａ、８ｂ              保護カバー
９ａ、９ｂ              移動ガイド部
１０                    給紙ガイド板
１１                    基部
１２                    傾斜面
１３                    円弧状案内面
１４                    段差部
２０                    排紙ガイド板
２１ａ                  第一のガイド板
２１ｂ                  第二のガイド板
２２                    一端部
２３                    枢支部
２４                    リブ状端面部
２５ａ、２５ｂ          スリット
３０                    電源コード
３１ａ、３１ｂ、３１ｃ  ガイドリブ
４０                    電源スイッチ
５０                    舌片
５１                    係合突部
【図１】
2018134881.tif 000003
【図２】
2018134881.tif 000004
【図３】
2018134881.tif 000005
【図４】
2018134881.tif 000006
【図５】
2018134881.tif 000007